(57)【要約】【課題】  被処理物の連続処理効率を高めると共に、均一な製品を得ることができる粉粒体処理装置を提供する。【解決手段】  被処理物１を加圧しながら撹拌混合すべく、水平方向に延出する回転軸心２の回りに駆動回転自在な回転部材３と、回転部材３に取り付けられ、被処理物１を加圧するインナーピース４と、被処理物１をインナーピース４との間で加圧する受け面５を内周に備えた筒状のアウターピース６とを備えた粉粒体処理装置であって、インナーピース４が回転軸心２の延出方向に沿って複数設けてある。【選択図】  図１
2005125226.tif 000002
【特許請求の範囲】
【請求項１】
被処理物を加圧しながら撹拌混合すべく、
水平方向に延出する回転軸心の回りに駆動回転自在な回転部材と、
当該回転部材に取り付けられ、前記被処理物を加圧するインナーピースと、
前記被処理物を前記インナーピースとの間で加圧する受け面を内周に備えた筒状のアウターピースとを備えた粉粒体処理装置であって、
前記インナーピースが前記回転軸心の延出方向に沿って複数設けてある粉粒体処理装置。
【請求項２】
前記複数のインナーピースどうしが前記回転部材の回転方向に沿って位相差を有している請求項１に記載の粉粒体処理装置。
【請求項３】
前記回転軸心の長手方向に沿って隣接するインナーピースどうしの間に、前記受け面から突出すると共に前記回転方向に沿って延出する仕切部を設けてある請求項１又は２に記載の粉粒体処理装置。
【請求項４】
前記仕切部がその延出方向に沿って断続部を備えている請求項３に記載の粉粒体処理装置。
【請求項５】
前記仕切部に、前記回転軸心の側を向きつつ傾斜した第２受け面を設けてある請求項３または４に記載の粉粒体処理装置。
【請求項６】
前記回転部材の外面と前記受け面との間隔が、前記インナーピースの厚みと略同じになるよう前記回転部材の外径を設定してある請求項１から５の何れか一項に記載の粉粒体処理装置。
【請求項７】
前記アウターピースの一端側には、前記被処理物を前記アウターピースの内部に強制的に供給可能な供給手段を設けてある請求項１から６の何れか一項に記載の粉粒体処理装置。
【請求項８】
前記アウターピースの両端部のうち、前記供給手段を設けた側の内面が、前記アウターピースの端部側ほど内径が小さくなる傾斜面に形成してある請求項７に記載の粉粒体処理装置
【請求項９】
前記アウターピースの両端部のうち、前記供給手段を設けた側とは反対側の端部に、前記被処理物を強制的に取り出し可能な取出手段を設けてある請求項７または８に記載の粉粒体処理装置。
【請求項１０】
前記アウターピースおよび前記回転部材のうち、少なくとも何れか一方に、冷媒を供給可能なジャケットを設けてある請求項１から９の何れか一項に記載の粉粒体処理装置。
【請求項１１】
前記アウターピースの内部空間に液状添加物を供給可能な噴霧手段を前記アウターピースに設けてある請求項１から１０の何れか一項に記載の粉粒体処理装置。
【発明の詳細な説明】
【技術分野】
【０００１】
本発明は、被処理物を加圧しながら撹拌混合すべく、水平方向に延出する回転軸心の回りに駆動回転自在な回転部材と、当該回転部材に取り付けられ、前記被処理物を加圧するインナーピースと、前記被処理物を前記インナーピースとの間で加圧する受け面を内周に備えた筒状のアウターピースとを備えた粉粒体処理装置に関する。
【背景技術】
【０００２】
従来、粉粒体処理装置としては、例えば特願平１０−２９５３６２に記載されたものがある。当該粉粒体処理装置を図１０に示す。  この装置は、主に、基台３１に設置した略円筒形状のケーシング３２、および、当該ケーシング３２の内部に設けた同じく略円筒形状の筒状回転体３３、当該筒状回転体３３との間に押圧力を発生させて被処理物３４を処理すべく前記筒状回転体３３の内部に配設したインナーピース３５とからなる。前記筒状回転体３３を回転させることで、当該筒状回転体３３の内周面に形成した受け面３６と前記インナーピース３５とを相対回転させ、前記受け面３６と前記インナーピース３５との間の押圧部３７に存在する被処理物３４に押圧力を付与して粉粒体処理を行うものである。
【０００３】
この装置は、特に、前記押圧部３７と筒状回転体３３の外部空間とに亘って被処理物３４を循環させ、押圧部３７に対して被処理物３４を順次入れ替えて供給することで、被処理物３４の全体を確実に処理し、品質が極めて安定した製品を得ようとするものである。  このため、当該装置は前記押圧部３７に対して被処理物３４を積極的に循環させるための被処理物排除手段３８を有している。この被処理物排除手段３８は、前記押圧部３７に保持された被処理物３４の一部を、筒状回転体３３が駆動回転されている最中に筒状回転体の内包空間３９の外部に排除するものであり、これにより、全ての被処理物３４が前記押圧部３７に対して順次循環供給されるのである。
【０００４】
前記ケーシング３２の外周下方部には羽根部材４０を設けてある。当該羽根部材４０は、前記孔部３８から筒状回転体３３の外方に排除された被処理物３４を再び前記押圧部３７に循環させるためのものである。  被処理物３４は、被処理物投入口４１から投入し、処理が終了した被処理物３４はケーシング３２の底部周縁に設けた排出口４５から取り出す。  装置の運転に際して、インナーピース３４等の温度を調節するために、前記ケーシング３２の周囲にジャケット４３を設けてある。
【発明の開示】
【発明が解決しようとする課題】
【０００５】
上記のごとく、従来の粉粒体処理装置では、処理精度の良い製品を連続的に得ることを目的として粉粒体３４の循環手段を設けたものである。しかし、粉粒体３４を加圧処理する加圧領域が鉛直方向に延出した受け面３６であるから、受け面３６に対する粉粒体３４の堆積状態が上下方向で異なり、加圧効果が異なる場合があった。
【０００６】
しかも、図１０から明らかなごとく、前記インナーピース３５は、回転軸４４に対して支持部材で保持されたものであり、回転軸４４とインナーピース３５との間には大きな空間が存在する。このため、処理作業中において、粉粒体３４が当該空間にも浮遊して前記加圧領域に到達する粉粒体３４の割合が低くなるという不都合が生じていた。このため、粉粒体３４の処理効率を高めるにも限界があった。
【０００７】
本発明の目的は、上記欠点に鑑み、被処理物の連続処理効率を高めると共に、均一な製品を得ることができる粉粒体処理装置を提供することにある。
【課題を解決するための手段】
【０００８】
〔構成１〕
本発明の粉粒体処理装置は、請求項１に示すごとく、被処理物を加圧しながら撹拌混合すべく、水平方向に延出する回転軸心の回りに駆動回転自在な回転部材と、当該回転部材に取り付けられ、前記被処理物を加圧するインナーピースと、前記被処理物を前記インナーピースとの間で加圧する受け面を内周に備えた筒状のアウターピースとを備えた粉粒体処理装置であって、前記インナーピースが前記回転軸心の延出方向に沿って複数設けてある点に特徴を有する。
【０００９】
〔作用効果〕
本構成のごとく、前記インナーピースを回転軸心の延出方向に沿って複数設けておくことで、前記加圧領域を広く確保することができる。この結果、粉粒体の滞留時間を長く確保して、粉粒体の連続処理を確実に行うことができる。
【００１０】
また、複数のインナーピースを設けることは、即ち、一つのインナーピースの長さを制限することになる。アウターピースとインナーピースとの間の空間では粉粒体に圧力が付与されるため、この空間は、粉粒体が通過する際の一種の抵抗領域となる。しかし、インナーピースの長さを制限して、両側に圧力の低い領域を形成することで、粉粒体は当該加圧領域を軸心方向に沿って抜け出し易くなり、粉粒体を確実に移送することができる。
【００１１】
〔構成２〕
本発明の粉粒体処理装置においては、請求項２に示すごとく、前記複数のインナーピースどうしが、前記回転部材の回転方向に沿った位相差を有するように構成することができる。
【００１２】
〔作用効果〕
本構成のごとく、隣接するインナーピースどうしに前記回転部材の回転方向に沿った位相差を持たせることで、第１段目の加圧領域から押し出された粉粒体は、所定の位相だけ遅れて回転してくる第２段目のインナーピースによって再び加圧力を付与されることになる。よって、本構成の装置であれは、粉粒体を確実に移動させるという上記構成１の作用効果に加えて、当該移動してきた粉粒体に十分な加圧力を作用させるという効果を得ることができる。
【００１３】
〔構成３〕
本発明の粉粒体処理装置においては、請求項３に示すごとく、前記回転軸心の長手方向に沿って隣接するインナーピースどうしの間に、前記受け面から突出すると共に前記回転方向に沿って延出する仕切部を設けてあることができる。
【００１４】
〔作用効果〕
仮に、前記受け面とインナーピースとの間に何も設けない場合には、粉粒体の流れは円滑なものになるが、粉粒体が加圧領域に滞留している時間が短くなる傾向が生じる。いわゆる、粉粒体のショートパスが生じ、処理が十分に行われないまま取り出し手段によって取り出されてしまうこととなる。
【００１５】
しかし、本構成のごとく、隣接するインナーピースどうしの間に仕切部を設けることで、粉粒体が前記回転軸心の長手方向に沿って移動する際の抵抗を形成することができる。この結果、粉粒体がショートパスするのを有効に防止し、加圧領域での滞留時間を十分に確保して、処理効果を高めることができる。
【００１６】
〔構成４〕
本発明の粉粒体処理装置においては、請求項４に示すごとく、前記仕切部には、その延出方向に沿って断続部を備えることとしてもよい。
【００１７】
〔作用効果〕
上記構成３に示すごとく、仕切部を設けることは、粉粒体を滞留させることができる一方で、粉粒体の移動を阻害する要因ともなる。例えば、ローターの回転速度を高速化するほど、粉粒体が仕切部を乗り越え難くなり、大量に粉粒体を流して処理することが不可能となる。
【００１８】
そこで、本構成のごとく、前記仕切部にその延出方向に沿って断続部を設けておけば、粉粒体を加圧領域に一定時間滞留させて粉粒体の処理効果を高めつつ、隣接する加圧領域に移動させることが容易となる。
【００１９】
〔構成５〕
本発明の粉粒体処理装置においては、請求項５に示すごとく、前記仕切部に、前記回転軸心の側を向きつつ傾斜した第２受け面を設けることができる。
【００２０】
〔作用効果〕
粉粒体の処理に際しては、粉粒体を加圧領域に所定の時間だけ滞留させる必要があるが、その一方で、粉粒体は確実に取出手段の位置まで搬送する必要がある。そのため、本構成のごとく、前記仕切部に、前記回転軸心の側を向きつつ傾斜した第２受け面を設けることで、一つの加圧領域を通過した粉粒体が当該傾斜面を比較的容易に乗り越えることができるものとする。そうすることで、粉粒体が加圧領域で滞留する時間は、前記傾斜面の高さを調節することで任意に設定することができるし、粉粒体の移動のし易さは傾斜面の角度で調節することができる。つまり、当該第２受け面の形状を適宜決定することで、被処理物の種類毎に最適な連続処理条件を得ることが可能となる。
【００２１】
〔構成〕
本発明の粉粒体処理装置においては、請求項６に示すごとく、前記回転部材の外面と前記受け面との間隔が、前記インナーピースの厚みと略同じとなるように、前記回転部材の外径を設定することができる。
【００２２】
〔作用効果〕
本構成のごとく、前記回転部材の外面と前記受け面との間隔を設定しておくことで、前記処理空間を必要最小限の大きさに設定することができる。つまり、当該処理空間に供給された粉粒体が不必要に堆積するような場所が生じないため、粉粒体が前記加圧領域に侵入し易い状況を作ることができる。この結果、粉粒体の加圧処理を効率的に進行させることができる。
【００２３】
〔構成〕
本発明の粉粒体処理装置においては、請求項７に示すごとく、前記アウターピースの一端側には、前記被処理物を前記アウターピースの内部に強制的に供給可能な供給手段を設けておくのが好ましい。
【００２４】
〔作用効果〕
当該装置で処理する粉粒体には、例えば、極めて酸化し易い粉粒体など各種の粉粒体がある。このような場合には、処理空間の内部の雰囲気を、不活性ガス雰囲気にしておくことが望ましい。各種の運転条件に応じて、粉粒体を確実に処理空間の内部に供給するには、例えば、スクリューフィーダーのような粉粒体を強制供給できるような供給手段を用いる必要がある。
【００２５】
また、被処理物によっては、粘性を有するものなど、自身では処理空間の内部に侵入して行き難い材料を扱う場合もある。  そこで、本構成のごとく、強制供給可能な供給手段を用いることは粉粒体の連続処理を行う場合には非常に有用となる。
【００２６】
〔構成〕
本発明の粉粒体処理装置においては、請求項８に示すごとく、前記アウターピースの両端部のうち、前記供給手段を設けた側の内面が、前記アウターピースの端部側ほど内径が小さくなる傾斜面に形成しておくことができる。
【００２７】
〔作用効果〕
本構成のごとく、前記アウターピースの両端部のうち、前記供給手段を設けた側の内面が、前記アウターピースの端部側ほど内径が小さくなる傾斜面に形成しておくことで、処理空間に供給された粉粒体が不必要に堆積するいわゆるデッドスペースを無くすことができる。
【００２８】
そして、回転部材の回転によって、処理空間内の粉粒体はある程度の遠心力を付与され、処理空間の外周側に押し出される。その際、本構成のごとく傾斜面を形成しておけば、粉粒体を前記送りブレードの側に容易に案内させることができ、粉粒体を加圧領域に確実に移動させることが可能となる。
【００２９】
〔構成〕
本発明の粉粒体処理装置においては、請求項９に示すごとく、前記アウターピースの両端部のうち、前記供給手段を設けた側とは反対側の端部に、前記被処理物を強制的に取り出し可能な取出手段を設けておくことができる。
【００３０】
〔作用効果〕
当該粉粒体処理装置では、粉粒体が加圧領域にどれだけの時間滞留しているかが特に重要である。この時間の長短によって粉粒体の処理程度が変化するからである。
【００３１】
当該時間を調節するには、例えば、処理終了後の粉粒体の取り出し量を調節するのが有効である。つまり、本構成のごとく、前記被処理物を強制的に取り出し可能な取出手段を設けることで、処理室の内部にある被処理物の取出量を規制しつつ取り出すことが可能となり、粉粒体の処理程度を最適化することができるのである。
【００３２】
〔構成〕
本発明の粉粒体処理装置においては、請求項１０に示すごとく、前記アウターピースおよび前記回転部材のうち、少なくとも何れか一方に、冷媒を供給可能なジャケットを設けておくことができる。
【００３３】
〔作用効果〕
例えば、医薬品や樹脂など、処理する粉粒体の中には、弱熱性の材料がある。このような粉粒体を複合化処理する場合、摩擦熱によって粉粒体の温度が上昇し、品質が損なわれたり、前記摩擦熱によって軟化し、複合化処理祖ものができない場合がある。
【００３４】
そこで、本構成のごとく、前記アウターピースおよび前記回転部材のうち、少なくとも何れか一方に、冷媒を供給可能なジャケットを設けておくことで、上記不都合を解決しつつ、粉粒体の処理効果を高めることができる。
【００３５】
〔構成〕
本発明の粉粒体処理装置においては、請求項１１に示すごとく、前記アウターピースの内部空間に液状添加物を供給可能な噴霧手段を前記アウターピースに設けておくことができる。
【００３６】
〔作用効果〕
粉粒体の中には、粉粒体の表面に別の被膜をコーティングしたい場合がある。  従来では、高速撹拌型の各種のミキサが用いられていたが、原料粉粒体に生じる凝集を個々の粒子にまで分散させる力が十分ではなかったため、凝集状態のままで液体を被覆するという不都合が生じていた。
【００３７】
しかし、本構成のごとく、前記アウターピースの内部空間に液状添加物を供給可能な噴霧手段を備えることで、機械的な圧縮専断作用によって分散された個々の微粒子に液状添加剤を吹き付け、コーティングすることが可能となる。この結果、多品種の粉粒体処理に本装置を適用することが可能となる。
【発明を実施するための最良の形態】
【００３８】
以下に本発明の実施の形態を図１から図９に基づいて説明する。以下に本発明の実施の形態を図面に基づいて説明する。尚、図面において従来例と同一の符号で表示した部分は、同一又は相当の部分を示している。
【００３９】
（概要）
本発明の粉粒体処理装置を図１乃至図４に示す。
当該本発明の装置は、被処理物１を加圧しながら撹拌混合すべく、水平方向に延出する回転軸心２の回りに駆動回転自在な回転部材３と、当該回転部材３に取り付けられ、前記被処理物１を加圧するインナーピース４と、前記被処理物１を前記インナーピース４との間で加圧する受け面５を内周に備えた筒状のアウターピース６とを備えている。前記回転部材３と前記受け面５との間の空間が、被処理物１を処理する処理空間７となる。そして特に、前記インナーピース４とアウターピース６との間の狭い空間が被処理物１である粉粒体１ａを加圧する加圧領域８となる。
【００４０】
前記アウターピース６の一方側に設けた供給手段９から被処理物１である粉粒体１ａを供給し、前記インナーピース４とアウターピース６との間に形成される加圧領域８に粉粒体１ａを誘導しつつ、前記供給手段９とは反対側に設けた取出手段１０から粉粒体１ａを取り出すものである。
【００４１】
本装置を用いることで、被処理物１である例えば粉粒体１ａどうしの粗混合や複合化の他、精密混合あるいは形状制御等の各種処理を行うことができる。  このうち特に、複合化とは、複数の粉粒体１ａを混ぜ合わせたものに加圧力およびせん断力を加えて特定の粉粒体１ａの表面に他の粉粒体１ａを融合し、一体化することをいう。
【００４２】
また、精密混合とは、異種の粉粒体１ａを単一粒子レベルで均一に分散させた状態に混合することをいう。
【００４３】
さらに、形状制御とは、例えば、複数の粉粒体１ａに加圧力あるいはせん断力を作用させて、球状を有しない特定の粉粒体１ａの表面に他の粉粒体１ａを付着させ、当該特定の粉粒体１ａを球状に整形すること等をいう他、球状を有しない粉粒体１ａに加圧力等を作用させてその一部を破砕し、当該粉粒体１ａを球状に整形すること等をいう。尚、これらの処理を総称してメカノフュージョン処理という場合もある。
【００４４】
このような複合化処理などを行えることは、例えば、医薬品や食品などの原料粉粒体１ａを複合化処理する場合に非常に有利である。つまり、バインダーなどを使用することなく複数の粉粒体１ａを連続的に複合化することができるため、製品の成分が問題となる事態が生じ難いからである。以下、本実施形態に係る粉粒体処理装置の詳細について説明する。
【００４５】
（回転部材）
図１に示すごとく、本装置は、被処理物１に加圧力を加えるべく、水平方向に延出する回転軸心２を中心に回転可能な回転部材３を備えている。当該回転部材３の軸部１１の一旦側には、図示は省略するが、駆動力入力部を備えている。当該駆動入力部としては、例えばベルト駆動の為のプーリーを備えておき、駆動モーターによって駆動する。
【００４６】
図２に示すごとく、本実施形態の回転部材３は、中空構造の円筒部材で構成してある。これにより、回転部材３の軽量化を図り、駆動効率を向上させている。また、外径の大きな円筒部材とすることで、粉粒体１ａの処理空間７が広くなり過ぎるのを防止し、加圧領域８に粉粒体１ａを効率よく供給する構成としている。
【００４７】
図２に示すごとく、当該回転部材３の内側には、複数の支持部１２を設けてあり、後述するインナーピース４の取り付け部に位置するように構成してある。これにより、インナーピース４とアウターピース６との間で加圧力を生じさせる際に、インナーピース４に対して反力を付与する。
【００４８】
（インナーピース）
図１乃至図３に示すごとく、前記回転部材３の外周面には複数のインナーピース４を取り付けてある。本実施形態では、前記回転軸心２の延出方向に沿って三組のインナーピース４を設けてある。そして、一組のインナーピース４は、回転軸心２を中心にして１８０度対向した位置に設けてある。
【００４９】
回転軸心２の方向に三組のインナーピース４を設けたことで、前記加圧領域８を広く確保することができ、粉粒体１ａの連続処理を確実に行うことができる。  また、夫々のインナーピース４の長さを所定の長さに制限することで、一つのインナーピース４によって形成される加圧領域８も回転軸心２に沿って断続的に形成されることとなる。つまり、高圧の加圧領域８を所定の長さに制限しておき、その両側に低圧の領域を設けることで、粉粒体１ａは、当該加圧領域８を通り抜け易くなる。よって、連続処理を確実に行うことができるのである。
【００５０】
三組のインナーピース４は、図３に示したごとく、隣接する組どうしが回転軸心２を中心に６０度の位相差を設けて配置することができる。本構成にすれば、第１段目の加圧領域８から押し出された粉粒体１ａは、６０度の位相だけ遅れて回転してくる第２段目のインナーピース４によって再び加圧力を付与される。粉粒体１ａは、前記受け面５に沿って、螺旋状に移送されることとなる。このようにして粉粒体１ａの加圧処理が連続して行われる。
【００５１】
インナーピース４は、例えば図２乃至図３に示したごとく、円柱を半分に切断したようなかまぼこ状の部材で構成してある。インナーピース４は、前記回転部材３の表面に、例えば、ネジ止めによって取り付ける。このように、断面形状を半円形状とすることで、インナーピース４が回転する際に、粉粒体１ａはインナーピース４とアウターピース６との間に次第に食い込むように侵入する。これにより、粉粒体１ａに強力な圧力を付与することができる。
【００５２】
（送りブレード）
図１および図２に示すごとく、前記回転部材３の両端部のうち前記供給手段９の側には、粉粒体１ａを前記加圧領域８に移動させるため、プロペラ状の送りブレード１３を設けてある。本実施形態では、第１段目のインナーピース４と同じ位相となる位置に二枚の送りブレード１３を設けてある。
【００５３】
回転部材３を高速回転させることで、処理空間７の内部に供給された粉粒体１ａは前記受け面５の側に押し付けられる。そしてこの位置に当該送りブレード１３を設けておくことで、粉粒体１ａを加圧領域８に確実に供給するのである。  当該送りブレード１３は、溶接などによって前記回転部材３の上に直に取り付けても良いし、ボルト等によって交換可能に取り付けても良い。
【００５４】
（アウターピース）
図１乃至図３に示すごとく、アウターピース６は、当該粉粒体処理装置の装置本体を兼ねている。当該アウターピース６の内周面は、前記インナーピース４との間で粉粒体１ａを加圧する受け面５として機能する。
【００５５】
当該受け面５と、前記回転部材３の外周面との間隔は、前記インナーピース４が配置可能であって、さらに、受け面５とインナーピース４との間に加圧領域８を形成できるだけの所定のクリアランスを設けてある。当該クリアランスは約５ｍｍに設定した。
【００５６】
このように、前記回転部材３の外面と前記受け面５との間隔を、前記インナーピース４の厚みと略同じになるよう前記回転部材３の外径を設定しておくことで、前記処理空間７を必要最小限の大きさに設定することができる。この結果、当該処理空間７に供給された粉粒体１ａが、前記加圧領域８に侵入し易い状況を作ることができ、粉粒体１ａの加圧処理を効率的に進行させることができるのである。
【００５７】
前記受け面５と前記インナーピース４との間隔は、通常５ｍｍ程度であるが、粉粒体１ａの送給方向の下流側ほど狭く設定することとしても良い。つまり、粉粒体１ａの処理の進行状況に応じて、各インナーピース４の機能を分担させるのである。例えば、インナーピース４を三段階に設ける場合、一段目においては、撹拌により粉粒体１ａを分散・混合する効果を主に発揮させる。二段目は、中程度の機械的エネルギーを付与して粉粒体１ａ処理を行う。そして、三段目で、高エネルギーを粉粒体１ａに付与し、例えば粉粒体１ａの融合効果を高めるのである。
【００５８】
アウターピース６の端部の形状に注目すれば、図１に示したごとく、本実施形態では、前記アウターピース６の両端部のうち、前記供給手段９を設けた側の内面が、前記アウターピース６の端部側ほど内径が小さくなる傾斜面１４に形成してある。
【００５９】
本構成することで、処理空間７に供給された粉粒体１ａが不必要に堆積してしまういわゆるデッドスペースを無くすことができる。  回転部材３の回転によって処理空間７内の粉粒体１ａはある程度の遠心力を付与され、処理空間７の外周側に押し出される。その際に、本構成のごとく傾斜面１４を形成しておけば、粉粒体１ａを前記送りブレード１３の側に移動させることができ、粉粒体１ａを加圧領域８に確実に案内移動させることが可能となる。
【００６０】
尚、当該傾斜面１４は、図１のごとく円錐状とするものであっても良いし、紡錘形状等であっても良く、上記効果が得られる形状であれば任意の形状を採用することができる。
【００６１】
粉粒体１ａの処理に際し、アウターピース６の内部は任意の環境に設定することができる。例えば、通常の大気中で作業することとしても良いし、粉粒体１ａが酸化するのを避けたいような場合には、処理空間７の内部に窒素ガスなどの不活性ガスを充填することとしても良い。
【００６２】
（仕切部）
図１および図２，図４に示すごとく、前記回転軸心２の長手方向に沿って隣接するインナーピース４どうしの間に、前記受け面５から突出すると共に前記回転方向に沿って延出する仕切部１５を設けてある。ここでは、環状の板部材を前記受け面５に一体化して設けてある。
【００６３】
このような仕切部１５を設けない場合には、粉粒体１ａの流れは円滑なものになるが、粉粒体１ａが加圧領域８に滞留している時間が短くなる傾向が生じる。いわゆる、粉粒体１ａのショートパスが生じ、処理が十分に行われないまま取り出し手段によって取り出されてしまうものが生じる。
【００６４】
しかし、本構成のごとく、隣接するインナーピース４どうしの間に仕切部１５を設けることで、粉粒体１ａが前記回転軸心２の長手方向に沿って移動する際の抵抗を形成することができる。この結果、粉粒体１ａがショートパスするのを有効に防止し、加圧領域８での滞留時間を十分に確保して、処理効果を高めることができる。
【００６５】
その一方で、前記仕切部１５の設置は、粉粒体１ａの移動を阻害する要因ともなる。例えば、回転部材３の回転速度を高速化するほど、粉粒体１ａに作用する遠心力が増大し、粉粒体１ａが仕切部１５を乗り越え難くなる。このため、大量に粉粒体１ａを流して処理することが不可能となる。
【００６６】
そこで、当該不都合を解決すべく、本実施形態では、前記仕切部１５にその延出方向に沿って断続部１６を設けることとた。例えば、図４に示すごとく、前記仕切部１５を環状の板部材で形成し、その外周側の一部分に断続部１６としての切欠き１６ａを設けておく。当該切欠き１６ａは、粉粒体１ａの処理量に応じた大きさに形成しておく。つまり、処理量を多くしたい場合には、粉粒体１ａが通過し易くなるように切欠き１６ａを大きく形成し、処理量を少なくしたい場合には、切欠き１６ａを小さくするのである。このようにして、粉粒体１ａの流れ速度が最適となるようにするのである。
【００６７】
また、図４に示すごとく、二枚の仕切部１５を設ける場合には、夫々の切欠き１６ａを上側と下側といった具合振り分けて設置するのが好ましい。こうすることで、粉粒体１ａが移動する際には、必ず受け面５を半周以上回りつつ次の切欠き１６ａまで移動することとなり、粉粒体１ａの処理効果を高めることができるからである。
【００６８】
（供給手段）
前記アウターピース６の一端側には、前記被処理物１を前記アウターピース６の内部に強制的に供給可能な供給手段９を設けてある。  当該装置で処理する粉粒体１ａには、例えば、極めて酸化し易い粉粒体１ａなど各種の粉粒体１ａがある。このような場合には、処理空間７の内部の雰囲気を、不活性ガス雰囲気にしておくことが望ましい。
【００６９】
各種の運転条件に応じて、粉粒体１ａを確実に処理空間７の内部に供給するには、例えば、スクリューフィーダーのような粉粒体１ａを強制供給できるような供給手段９を用いる必要がある。また、被処理物１によっては、粘性を有するものなど、自身では処理空間７の内部に侵入して行き難い材料を扱う場合にも、強制供給可能な供給手段９は非常に有用である。
【００７０】
尚、図１乃至図３には二つの供給手段９を示してある。よって、このうち少なくとも何れか一方が当該強制供給可能な供給手段９となる。
【００７１】
（取出手段）
前記アウターピース６の両端部のうち、前記供給手段９を設けた側とは反対側の端部には、前記被処理物１を強制的に取り出し可能な取出手段１０を設けてある。
【００７２】
当該取出手段１０としては、スクリューコンベヤーのような手段が適用可能な他、ボールコンベヤーを用いたり、開閉式排出口を備えた取出手段１０を用いることができる。
【００７３】
特に、取出手段１０としては、処理空間７の内部にある被処理物１の取出量を規制しつつ取り出し得るものが望ましい。つまり、当該取出手段１０の操作によって、加圧領域８での粉粒体１ａの滞留時間を制御することができ、粉粒体１ａの処理程度を最適化することができるからである。
【００７４】
（適用対象）
本発明の粉粒体処理装置は、各種の粉粒体１ａの処理に適用することができる。  例えば、グラファイトとコークス+ピッチ、粉体塗料とＳｉやＡｌ、トナーとカーボンブラック等、広範囲に亘る技術分野で用いる粉粒体１ａを処理することができる。これらの場合は、例えば、複数の粉粒体１ａを融合させる複合化処理を行うことが多い。
【００７５】
また、粉体塗料やトナー、黒鉛の球形化などを行うことも可能であるし、メタカオリンやコークス、グラファイトの高密度化を図ることもできる。このような処理により、例えば、粉粒体１ａの流動性を向上させることができる。  更には、粉粒体１ａに撥水性を持たせる等の表面改質に適用することもできる。
【００７６】
本装置は、例えば以下のような酸化し易い材料を複合化処理するような場合にも有用である。例えば、希土類系のネオジム−鉄−ボロン系磁性材料を複合化処理する場合、希土類系磁性材料は非常に酸化・燃焼し易いから、処理空間７の内部の雰囲気は、主に窒素ガス雰囲気とし、酸素濃度は０．５〜２．０％程度に下げておく必要がある。
【００７７】
また、ネオジ鉄、サマリウムコバルト、サマリウム鉄コバルト、コバルト、イットリウム、テリビウム、酸化セリウム等の希土類系磁性材料の処理にも適用可能である。   この他にも、蝠光塗料・セラミックス・シリカゲル・アルミナ等の高純度物質、タングステンカーバイド・シリコンカーバイド・ボロンカーバイド・各種アルミナ・酸化マグネシウム・酸化ジルコニウム・酸化シリコン・コランダム等の研磨剤、アルミニウム粉末・銅粉末等の金属粉、トナー・殺虫剤・ワックス・樹脂・脂肪・エポキシ樹脂等の弱熱性・低融点物質、マイカ・グラファイト・タルク等の鱗片状物質、シリカゲルのような材料を処理することも可能である。
【００７８】
リチウムイオン電池材料のように、材料どうしを混練する必要がある場合にも本装置は有用である。  例えば、リチウムイオン電池の正極を形成するための正極材料は、コバルト酸リチウム（LiCoO2）等の正極活物質と、カーボン等の導電剤、ポリフッ化ビニリデン等の結着剤、さらには、これらの材料をスラリー状にするための１−メチル−２−ピロリドン等の溶剤とを混練するような用途にも適用可能である。 
【００７９】
（実施例）
当該粉粒体処理装置を用いて粉粒体１ａの処理を行った例を以下に示す。
図５には、処理空間７に投入した粉粒体１ａが処理空間７にどれくらいの時間滞留しているかを検証した結果を示す。  粉粒体１ａとして粒径１５０μｍの白と黒の２種類のポリエチレン粉末を用いて滞留時間を測定した。まず、白色の粉末を供給して連続運転を行い、ある時点から、供給する粉粒体１ａを黒色のもに切り換える。そして、取出手段１０から取り出される粉粒体１ａが白から黒に切り替わっていく割合を時間毎に測定した。
【００８０】
このときのインナーピース４の回転数は１０００ｒｐｍ、駆動動力は２３ｋｗであった。処理空間７に存在する粉粒体１ａは約３．８ｋｇであった。
【００８１】
図５より明らかなごとく、約５分で半分の白色粒子が黒色粒子に入れ替わり、約２０分で完全に黒色粒子に入れ替わったことがわかる。この場合、各粒子の平均滞留時間は約６．５分であった。この滞留時間は、粉粒体１ａの処理に際して、粉粒体１ａのショートパスが生じず、各粉粒体１ａが確実に処理されるのに適した時間である。
【００８２】
また、本装置を用いて黒鉛粉末を球状化処理した場合の、処理粉粒体１ａの密度向上の様子を図６に示した。黒鉛は、例えばリチウムイオン２次電池の負極材として用いる。その際には、黒鉛を球形化し、充填性を高めて電池の充電容量を高める必要がある。
【００８３】
そこで、固めかさ密度が０．５３ｇ／ｃｃである原料粉粒体１ａを用いて、本装置による処理と、従来の循環型装置による処理とを比較してみた。本装置においては、上記と同様にインナーピース４の回転数を１０００ｒｐｍとした。駆動動力は２３ｋｗのものと１８ｋｗのものとを用いた。粉粒体１ａは２３ｋｇ／ｈの割合で連続供給した。従来の循環型装置と消費エネルギーを比較するため、粉粒体１ａを当該装置に１〜３回繰り返し供給して処理した。
【００８４】
一方の、従来型のものでは、インナーピース４の回転数１５００ｒｐｍで処理時間を３０分および６０分とし、１１００ｒｐｍで処理時間１２０分および１８０分とした。動力は、１５００ｒｐｍのものが９ｋｗ、１１００ｒｐｍのものが５．５ｋｗであった。粉粒体１ａは何れも５ｋｇ投入してバッチ処理を行った。
【００８５】
この結果を、投入した粉粒体１ａ当たりの消費エネルギーを横軸にとり、縦軸に固めかさ密度をとって図６のごとく整理した。ここでは、原料粉粒体１ａのかさ密度を要求の固めかさ密度０．７５ｇ／ｃｃ以上に高められることが確認できた。
【００８６】
一般に、かさ密度を向上させるには、希望の時間だけ処理し得るバッチ処理の方が有利といわれる。しかし、図６から明らかなごとく、本装置のごとく、連続処理するものでも、バッチ処理と同等の効果が得られることがわかる。
【００８７】
図７には、本装置を用いて得られた粉粒体１ａの拡大写真を示す。この例は、コークス原料を、上記と同様の条件、即ち、インナーピース４の回転数を１４００ｒｐｍ、動力を２３ｋｗとして、２．５ｋｇのコークス原料を２０分間処理した場合の処理前（図７（イ））および処理後（図７（ロ））の状態を示す写真である。図７（ロ）の写真では、比較的大径な粒子の間に細かな粒子が高密度に充填されているのがよくわかる。  当該処理により、当初、固めかさ密度が０．９９ｇ／ｃｃであったものが、１．２ｇ／ｃｃにまで高められた。
【００８８】
（効果）
以上のごとく、本発明の粉粒体処理装置では、特に、インナーピース４を回転軸心２の延出方向に沿って複数設けておくことで、前記加圧領域８を広く確保することができる。この結果、粉粒体１ａの滞留時間を長く確保して、粉粒体１ａの連続処理を確実に行うことができる。
【００８９】
また、加圧領域８では粉粒体１ａに圧力が付与されるため、加圧領域は、粉粒体１ａが通過する際の一種の抵抗領域となる。しかし、インナーピース４の長さを制限して、両側に圧力の低い領域を形成することで、粉粒体１ａは当該加圧領域８を軸心方向に沿って抜け出し易くなり、粉粒体１ａを確実に移送することができる。
【００９０】
そして、隣接するインナーピース４どうしには位相差を持たせてあるから、第１段目の加圧領域８から押し出された粉粒体１ａは、所定の位相だけ遅れて回転してくる第２段目のインナーピース４によって再び加圧力を付与されることになる。  このように、本構成の装置であれは、粉粒体１ａを確実に移動させつつ、十分な加圧効果を得ることができる。
【００９１】
また、本発明の粉粒体処理装置では、回転軸心２の長手方向に沿って隣接するインナーピース４どうしの間に、前記受け面５から突出すると共に前記回転方向に沿って延出する仕切部１５を設けてある。このように、隣接するインナーピース４どうしの間に仕切部１５を設けることで、粉粒体１ａが前記回転軸心２の長手方向に沿って移動する際の抵抗を形成することができる。この結果、粉粒体１ａがショートパスするのを有効に防止し、加圧領域８での滞留時間を十分に確保して、処理効果を高めることができる。
【００９２】
〔別実施の形態〕
図８及び図９には、別実施形態に係る粉粒体処理装置を示す。
【００９３】
（第２の送りブレード）
回転部材３の一方側には、前記送りブレード１３に加えて、第２の送りブレード１７を設けてある。この場合の回転部材３は、先の実施形態のものに比べてその外径が小さく、前記受け面５との距離が比較的大きい。よって、本別実施形態の回転部材３に対しては、図８に示すごとく第１の送りブレード１３に加えて、処理空間７のより内側に存在する粉粒体１ａを搬送するための第２の送りブレード１７を設けてある。
【００９４】
（スクレーパー）
また、本別実施形態の装置では、図９に示すごとく、前記第１の送りブレード１３の近傍にスクレーパー１８を設けてある。第１の送りブレード１３は、前記インナーピース４ほど受け面５に近接していないから、受け面５には被処理物１が付着し易くなる。このため、図９に示すごとくスクレーパー１８を設け、前記受け面５に粉粒体１ａが付着するのを防止している。尚、当該スクレーパー１８と前記受け面５とのクリアランスは、約１ｍｍである。
【００９５】
（第２受け面）
図８に示したごとく、本別実施形態の装置では、前記仕切部１５に、前記回転軸心２の側を向きつつ傾斜した第２受け面１９を設けてある。例えば、図８に示したごとく、仕切部１５の断面形状を三角形状に形成する。ここには、図８の断面視で左右に２カ所の第２受け面１９が形成されている。ただし、特に重要なのは、粉粒体１ａの流れ方向において上手側に位置する第２受け面１９である。
【００９６】
当該第２受け面１９は、粉粒体１ａが容易にショートパスするのを防止すると共に、隣接する加圧領域８に粉粒体１ａを搬送し易くする機能を有する。仕切部１５をこのような傾斜面に形成してあれば、一つの加圧領域８を通過した粉粒体１ａが当該傾斜面を乗り越えることは容易である。このように第２受け面１９を設けることで、粉粒体１ａの滞留時間は第２受け面１９の高さで調節し、粉粒体１ａの移動のし易さは第２受け面１９の角度で調節することができるため、処理する粉粒体１ａの種類に応じた最適な連続処理条件を得ることができるようになる。
【００９７】
（ジャケット）
本別実施形態に係る装置には、アウターピース６の外側に冷却用のジャケット２０を設けてある。例えば、医薬品や樹脂など、弱熱性材料を複合化処理するような場合、摩擦熱によって粉粒体１ａの温度が上昇し、品質が損なわれるおそれがある。そこで、前記アウターピース６の外面にジャケット２０を設け、粉粒体１ａの温度を制御することとしている。本実施形態のごとく、アウターピース６の外周全体に亘ってジャケット２０を設けることで、冷却効果が非常に高いものとなる。
【００９８】
例えば、融点７６℃のイブプロフェンを球状セルロース担体粒子の表面に融合させるような場合には、イブプロフェンは、５０℃程度で軟化して融合処理が不可能となるから、この温度よりも低く保つ必要がある。そこで、冷媒としてマイナス５℃のブラインを冷媒に用いることで、イブプロフェンの温度を３０℃以下に保持することができ、軟化の問題を解消しつつ良好な複合粒子を得ることができる。
【００９９】
尚、本別実施形態では、前記アウターピース６の外側にジャケット２０を設けているが、前記インナーピース４の側にもジャケット２０を設けることは可能である。例えば、前記取出手段１０の側の回転部材３の軸受け部から冷媒を供給する構成とする。本構成であれば、冷却効果を更に高めることができる。
【０１００】
（噴霧手段）
粉粒体１ａの中には、例えば、化粧品のファンデーション等、無機物粉粒体にオイルを被覆処理したり、炭酸カルシウムと尿素を複合化処理しつつ、脂肪酸やステアリン酸をコーティングして粉粒体１ａに撥水性を持たせることが求められる場合がある。
【０１０１】
従来は、高速撹拌型の各種のミキサーを用いていたが、無機物粉粒体中に生じる凝集を個々の粒子にまで分散させる力が十分ではないため、凝集状態のままで液体を被覆するという不都合が生じていた。しかし、本構成のごとく、前記アウターピース６の内部空間に液状添加物を供給可能な噴霧手段２１を備えることで、機械的な圧縮専断作用によって分散された個々の微粒子に液状添加剤を吹き付け、コーティングすることが可能となる。この結果、多品種の粉粒体１ａ処理に本装置を適用することが可能となる。
【０１０２】
（その他）  上記実施形態では、アウターピース６の形状は完全な円筒形状のものとしたが、下半分だけが円筒形状を呈するものであっても良い。つまり、粉粒体１ａの重量・物性等によっては必ずしもアウターピース６の上方に粉粒体１ａが搬送されない場合もある。そのような場合には、少なくとも下半分の領域を加圧領域８とすることで粉粒体１ａの複合化処理などを行うことができる。
【０１０３】
また、上記の何れの実施形態においてもアウターピース６は静止したものであったが、アウターピース６も回転する構成であっても良い。アウターピース６が回転することで、粉粒体１ａが下方に滞留する不都合を回避でき、アウターピース６に形成した受け面５の全体を有効に利用できる。よって、被処理物１の処理効率を向上させることができる。
【図面の簡単な説明】
【０１０４】
【図１】本発明に係る粉粒体処理装置の概要を示す説明図
【図２】本発明に係る粉粒体処理装置の回転軸心を含む断面図
【図３】本発明に係る粉粒体処理装置の回転軸心に垂直な断面図
【図４】本発明に係る仕切部を示す一部切欠き斜視図
【図５】被処理物の滞留時間を示す説明図
【図６】処理後の固めかさ密度の分布を示す説明図
【図７】処理前後の粉粒体の状態を示す顕微鏡写真
【図８】別実施形態に係る粉粒体処理装置の回転軸心を含む断面図
【図９】別実施形態に係る粉粒体処理装置の回転軸心に垂直な断面図
【図１０】従来の粉粒体処理装置の概要を示す説明図
【符号の説明】
【０１０５】
１    被処理物
２    回転軸心
３    回転部材
４    インナーピース
５    受け面
６    アウターピース
９    供給手段
１０  取出手段
１５  仕切部
１６  断続部
１９  第２受け面
２０  ジャケット
２１  噴霧手段
【図１】
2005125226.tif 000003
【図２】
2005125226.tif 000004
【図３】
2005125226.tif 000005
【図４】
2005125226.tif 000006
【図５】
2005125226.tif 000007
【図６】
2005125226.tif 000008
【図７】
2005125226.tif 000009
【図８】
2005125226.tif 000010
【図９】
2005125226.tif 000011
【図１０】
2005125226.tif 000012